(57)【要約】【課題】搭乗者が自由に動き回りつつ、交話相手や聴取の対象を切り替えでき、しかも現在の交話相手や聴取の対象を確認可能にする。【解決手段】無線子機２ａ，２ｂを特定する子機情報Ｄｒｃおよび無線子機２ａ，２ｂに対する切替選択情報Ｄｃｔを生成する端末装置３ａ，３ｂと、無線子機２ａ，２ｂとワイヤレスで送受信可能に構成されて、端末装置３ａ，３ｂと通信可能に構成され、切替選択情報Ｄｃｔを子機情報Ｄｒｃに対応させて更新記憶し、その切替選択情報Ｄｃｔに基づいて無線子機２ａと無線機５，６等との間で送受信される音声信号を受け渡しする交話信号制御器４とを備え、交話信号制御器４は、子機情報Ｄｒｃの入力時に、子機情報Ｄｒｃに対応する切替選択情報Ｄｃｔを読み出して端末装置３ａ，３ｂに出力し、各端末装置３ａ，３ｂは、交話信号制御器４によって出力された切替選択情報Ｄｃｔを表示部に表示させる。【選択図】　　　　図１
2004134863.tif 000002
【特許請求の範囲】
【請求項１】
複数の無線子機と、
前記無線子機の任意の一つの無線子機を特定する子機情報および当該特定した無線子機に対する切替選択情報を生成して出力する複数の端末装置と、
前記各無線子機に対応して配設された複数の送受信部を有して当該各無線子機とワイヤレスで音声信号を送受信可能に構成されると共に、前記各端末装置と通信可能に構成され、当該各端末装置によって出力された前記子機情報および前記切替選択情報を入力したときに当該切替選択情報を当該子機情報に対応させて更新記憶すると共に、当該更新記憶した切替選択情報に基づいて前記各無線子機の各々と複数の外部装置および他の前記無線子機のうちの少なくとも１つとの間で送受信される音声信号を受け渡しする交話信号制御器とを備え、
前記交話信号制御器は、前記端末装置によって出力された前記子機情報を入力したときに、当該子機情報に対応する前記切替選択情報を読み出して当該端末装置に出力し、
前記各端末装置は、表示部を備えると共に、前記交話信号制御器によって出力された前記切替選択情報を前記表示部に表示させるワイヤレス交話装置。
【請求項２】
前記各端末装置は、前記複数の無線子機に割り当てられた無線チャネルのうちの電界強度が最大となる無線チャネルを検出すると共に当該無線チャネルが割り当てられた前記無線子機の前記子機情報を生成する電界強度測定部を備えている請求項１記載のワイヤレス交話装置。
【請求項３】
前記交話信号制御器は、前記各送受信部に対応して設けられて当該送受信部によって受信された前記音声信号に含まれている切替選択情報を抽出する音声認識部を備え、当該音声認識部によって当該切替選択情報が抽出されたときに、当該切替選択情報が抽出された前記音声信号を送信した前記無線子機の前記子機情報を生成すると共に当該生成した子機情報および前記抽出した切替選択情報を更新記憶する請求項１または２記載のワイヤレス交話装置。
【請求項４】
前記各端末装置は、前記交話信号制御器と第１通信ケーブルを介してそれぞれ接続され、
前記各無線子機は、前記複数の端末装置のうちの任意の一つと第２通信ケーブルを介して接続可能に構成されると共に、当該第２通信ケーブルを介して前記端末装置と接続されたときに、前記第１通信ケーブル、当該任意の端末装置、および前記第２通信ケーブルを介して前記交話信号制御器と前記音声信号を受け渡しする請求項１から３のいずれかに記載のワイヤレス交話装置。
【請求項５】
前記各端末装置は、前記第２通信ケーブルの接続を検出して検出信号を前記交話信号制御器に出力可能に構成され、
前記交話信号制御器は、前記検出信号を入力しているときに、当該検出信号を出力している前記端末装置に前記第２通信ケーブルを介して接続されている前記無線子機との前記音声信号の受け渡しを無線による受け渡しに代えて前記第１通信ケーブル、当該端末装置および前記第２通信ケーブルを介しての有線による受け渡しに切り替える請求項４記載のワイヤレス交話装置。
【請求項６】
前記各端末装置またはこれらの近傍にそれぞれ配設された人体検出部を備え、
前記各端末装置の前記各表示部は、対応する前記人体検出部によって人体が検出されているときにのみそれぞれ表示動作を行う請求項１から５のいずれかに記載のワイヤレス交話装置。
【請求項７】
前記交話信号制御器は、音声合成部を備え、前記切替選択情報の内容を示す音声信号を前記音声合成部に生成させると共に、当該切替選択情報に対応する前記無線子機に対応して配設された前記送受信部を介して前記生成させた音声信号を送信する請求項１から６のいずれかに記載のワイヤレス交話装置。
【発明の詳細な説明】
【０００１】
【発明の属する技術分野】
本発明は、複数の無線子機と、無線子機を特定する子機情報および特定した無線子機に対する切替選択情報を生成する複数の端末装置と、子機情報および切替選択情報に基づいて各無線子機の各々と複数の外部装置および他の無線子機のうちの少なくとも１つとの間で送受信される音声信号を受け渡しする交話信号制御器とを備えたワイヤレス交話装置に関するものである。
【０００２】
【従来の技術】
この種のワイヤレス交話装置として、大型ヘリコプターや貨物航空機の搭乗者によって使用されるワイヤレス交話装置９１が従来知られている。このワイヤレス交話装置９１は、図４に示すように、複数（同図では一例として２個）の無線子機９２ａ，９２ｂ（以下、特に区別しないときには「無線子機９２」ともいう）、複数（同図では各無線子機９２に対応して２個）の端末装置（一例としてスイッチパネル）９３ａ，９３ｂ（以下、特に区別しないときには「スイッチパネル９３」ともいう）、および交話信号制御器９４を備えている。また、ワイヤレス交話装置９１には、例えば、第１無線機５、第２無線機６、航法装置７、および警報装置８が外部装置として接続されている。また、ワイヤレス交話装置９１は、交話信号制御器９４を介して、各無線子機９２，９２相互間、各無線機５，６と無線子機９２ａとの間、および各無線機５，６と無線子機９２ｂとの間で交話が可能に構成されると共に、上記外部装置によって出力される各種信号に対する各無線子機９２によるモニタが可能に構成されている。
【０００３】
各無線子機９２は、ヘッドホンとマイクとが一体となったヘッドセット、および無線機（いずれも図示せず）をそれぞれ備え、交話信号制御器９４に設けられた対応する送受信部との間で無線通信（ワイヤレス通信）可能に構成されている。また、各無線子機９２は、搭乗者が装着して使用可能に構成されている。
【０００４】
各スイッチパネル９３ａ，９３ｂは、各無線子機９２ａ，９２ｂに対応して配設されている。各スイッチパネル９３は、複数の設定用スイッチ（図示せず）をそれぞれ備え、これらの設定用スイッチにより、対応する各無線子機９２ａ，９２ｂの切替選択情報Ｄｃｔ１，Ｄｃｔ２（以下、特に区別しないときには「切替選択情報Ｄｃｔ」ともいう）を設定可能に構成されている。この場合、各切替選択情報Ｄｃｔは、搭乗者によって送受話の対象として選択された無線機および他の無線子機の特定や、搭乗者によって受話の対象として選択された外部装置の特定を行うための情報である。また、各スイッチパネル９３は、設定用スイッチによって設定された切替選択情報Ｄｃｔを交話信号制御器９４に出力する機能を備えている。
【０００５】
交話信号制御器９４は、各無線子機９２ａ，９２ｂに対応して配設された２つの送受信部９５ａ，９５ｂと、各スイッチパネル９３ａ，９３ｂに対応して配設された通信用インターフェース部（以下、「通信Ｉ／Ｆ部」）９６ａ，９６ｂと、選択合成部９７とを備えている。この場合、各送受信部９５は、対応する無線子機９２との間で、各搭乗者が送受話する音声信号をワイヤレスで送受信可能に構成されている。具体的には、各送受信部９５ａ，９５ｂは、対応する無線子機９２ａ，９２ｂによって送信された音声信号を受信して、音声信号Ｓｃｔ１，Ｓｃｔ２としてそれぞれ出力する。また、各送受信部９５ａ，９５ｂは、入力した音声信号Ｓｃｒ１，Ｓｃｒ２を各無線子機９２ａ，９２ｂにそれぞれ送信する。通信インターフェース部９６ａ，９６ｂは、対応するスイッチパネル９３ａ，９３ｂによって出力された切替選択情報Ｄｃｔ１，Ｄｃｔ２をそれぞれ入力すると共に、これらの切替選択情報Ｄｃｔ１，Ｄｃｔ２に基づいて、無線子機９２ａについての送話用の選択データＤｔ１および受話用の選択データＤｒ１、無線子機９２ｂについての送話用の選択データＤｔ２および受話用の選択データＤｒ２をそれぞれ出力する。
【０００６】
選択合成部９７は、図５に示すように、２つの受話選択部９７ａ，９７ｂ、２つの送話選択部９７ｃ，９７ｄ、２つの受話合成部９７ｅ，９７ｆ、および２つの送話合成部９７ｇ，９７ｈを備えている。選択合成部９７は、各無線機５，６によって出力された音声信号Ｓｒ１，Ｓｒ２、航法装置７によって出力された音声信号Ｓｒ３、警報装置８によって出力された音声信号Ｓｒ４、および各送受信部９５ａ，９５ｂによって出力された音声信号Ｓｃｔ１，Ｓｃｔ２を入力して、入力したこれらの音声信号を各通信Ｉ／Ｆ部９６によって出力された選択データＤｔ１，Ｄｔ２，Ｄｒ１，Ｄｒ２に基づいて選択・ミキシングして各種の音声信号を出力する。
【０００７】
具体的には、各受話選択部９７ａ，９７ｂは、音声信号Ｓｒ１〜Ｓｒ４，Ｓｃｔ１，Ｓｃｔ２をそれぞれ入力して、対応する選択データＤｒ１，Ｄｒ２に基づいて音声信号を選択して出力する。また、各送話選択部９７ｃ，９７ｄは、音声信号Ｓｃｔ１，Ｓｃｔ２をそれぞれ入力して、対応する選択データＤｔ１，Ｄｔ２に基づいて音声信号を選択して出力する。各受話合成部９７ｅ，９７ｆは、対応する受話選択部９７ａ，９７ｂによって選択された音声信号をそれぞれ入力すると共に、入力した音声信号をミキシング（加算処理）して音声信号Ｓｃｒ１，Ｓｃｒ２としてそれぞれ出力する。同様にして、送話合成部９７ｇ，９７ｈは、対応する送話選択部９７ｃ，９７ｄによって選択された音声信号をそれぞれ入力すると共に、入力した音声信号をミキシング（加算処理）して音声信号Ｓｔ１，Ｓｔ２としてそれぞれ出力する。
【０００８】
このワイヤレス交話装置９１では、無線子機９２ａ，９２ｂを装着した各搭乗者は、予め指定された（装着している無線子機９２と対応する）スイッチパネル９３ａ，９３ｂの設定用スイッチを操作することにより、送受話の対象とする無線機や他の無線子機を選択すると共に、受話の対象とする外部装置を選択する。各スイッチパネル９３は、搭乗者によって送受話の対象として選択された無線機および他の無線子機の情報や搭乗者によって受話の対象として選択された外部装置の情報を切替選択情報Ｄｃｔとして交話信号制御器９４の各通信Ｉ／Ｆ部９６に出力する。各通信Ｉ／Ｆ部９６は、切替選択情報Ｄｃｔに基づいて、無線子機９２についての送話用の選択データＤｔ１（Ｄｔ２）および受話用の選択データＤｒ１（Ｄｒ２）を生成して出力する。受話選択部９７ａ，９７ｂは、選択データＤｒ１，Ｄｒ２に基づいて音声信号Ｓｒ１，Ｓｒ２，Ｓｒ３，Ｓｒ４、音声信号Ｓｃｔ１，Ｓｃｔ２の中から受話すべき音声信号をそれぞれ選択して対応する受話合成部９７ｅ，９７ｆに出力する。受話合成部９７ｅ，９７ｆは、受話選択部９７ａ，９７ｂによって選択された音声信号をミキシングして音声信号Ｓｃｒ１，Ｓｃｒ２をそれぞれ生成して送受信部９５ａ，９５ｂに出力する。送受信部９５ａ，９５ｂは、入力した音声信号Ｓｃｒ１，Ｓｃｒ２を対応する無線子機９２ａ，９２ｂに無線で送信する。これにより、各無線子機９２は、送受話の対象として選択した無線機、さらには受話の対象として選択した外部装置によって出力された音声信号を入力することができる。また、各無線子機９２は、送受話の対象として選択した他の無線子機との間で通信を行うことができる。
【０００９】
一方、交話信号制御器９４の送話選択部９７ｃ，９７ｄは、送話用の選択データＤｔ１，Ｄｔ２に基づいて音声信号Ｓｃｔ１，Ｓｃｔ２の中から送話すべき音声信号をそれぞれ選択して対応する送話合成部９７ｇ，９７ｈに出力する。送話合成部９７ｇ，９７ｈは、送話選択部９７ｃ，９７ｄによって選択された音声信号をミキシングして音声信号Ｓｔ１，Ｓｔ２をそれぞれ生成して無線機５，６に出力する。これにより、各無線子機９２は、送受話の対象として選択した無線機に対して音声信号を送信することができる。したがって、各無線子機９２を装着した各搭乗者は、送受話の対象として選択した無線機および他の無線子機９２との間で無線によって交話できると共に、受話の対象として選択した外部装置によって出力される各種の音声信号をモニタすることができる。
【００１０】
このようにして、このワイヤレス交話装置９１によれば、各搭乗者は、予め指定されたスイッチパネル９３の設定用スイッチを操作することにより、無線機５，６や他の無線子機９２を任意に選択して無線で交話できると共に、航法装置７や警報装置８等の外部装置を任意に選択して外部装置によって出力される各種信号をモニタすることができる。言い換えれば、各搭乗者は、スイッチパネル９３の設定用スイッチを操作することにより、交話対象や受話の対象を任意に切り替えることができる。
【００１１】
【特許文献１】
特開平７−５９１４４号公報（第８−９頁）
【００１２】
【発明が解決しようとする課題】
ところが、この従来のワイヤレス交話装置９１には、以下の問題点がある。すなわち、ワイヤレス交話装置９１では、無線子機９２が無線化されたことにより、搭乗者は無線子機９２を装着した状態でスイッチパネル９３から離れて自由に動き回りながら、選択した交話相手と交話したり、選択した外部装置によって出力される各種信号を聴取することが可能である。しかしながら、交話相手や聴取の対象を切り替える際には、搭乗者が自分用に指定されたスイッチパネル９３の設置場所まで戻ってスイッチパネル９３の設定用スイッチを操作する必要があり、極めて不便であるという問題点が存在する。また、搭乗者が現在の交話相手や聴取の対象を確認する際にも、自分用に指定されたスイッチパネル９３の設置場所まで戻って設定用スイッチの設定状態を確認する必要があり、同様にして極めて不便であるという問題点も存在する。
【００１３】
本発明は、かかる問題点に鑑みてなされたものであり、搭乗者が自由に動き回りつつ、交話相手や聴取の対象を切り替えでき、しかも現在の交話相手や聴取の対象を確認し得るワイヤレス交話装置を提供することを主目的とする。
【００１４】
【課題を解決するための手段】
上記目的を達成すべく本発明に係るワイヤレス交話装置は、複数の無線子機と、前記無線子機の任意の一つの無線子機を特定する子機情報および当該特定した無線子機に対する切替選択情報を生成して出力する複数の端末装置と、前記各無線子機に対応して配設された複数の送受信部を有して当該各無線子機とワイヤレスで音声信号を送受信可能に構成されると共に、前記各端末装置と通信可能に構成され、当該各端末装置によって出力された前記子機情報および前記切替選択情報を入力したときに当該切替選択情報を当該子機情報に対応させて更新記憶すると共に、当該更新記憶した切替選択情報に基づいて前記各無線子機の各々と複数の外部装置および他の前記無線子機のうちの少なくとも１つとの間で送受信される音声信号を受け渡しする交話信号制御器とを備え、前記交話信号制御器は、前記端末装置によって出力された前記子機情報を入力したときに、当該子機情報に対応する前記切替選択情報を読み出して当該端末装置に出力し、前記各端末装置は、表示部を備えると共に、前記交話信号制御器によって出力された前記切替選択情報を前記表示部に表示させる。
【００１５】
また、本発明に係るワイヤレス交話装置は、上記ワイヤレス交話装置において、前記各端末装置は、前記複数の無線子機に割り当てられた無線チャネルのうちの電界強度が最大となる無線チャネルを検出すると共に当該無線チャネルが割り当てられた前記無線子機の前記子機情報を生成する電界強度測定部を備えている。
【００１６】
また、本発明に係るワイヤレス交話装置は、上記ワイヤレス交話装置において、前記交話信号制御器は、前記各送受信部に対応して設けられて当該送受信部によって受信された前記音声信号に含まれている切替選択情報を抽出する音声認識部を備え、当該音声認識部によって当該切替選択情報が抽出されたときに、当該切替選択情報が抽出された前記音声信号を送信した前記無線子機の前記子機情報を生成すると共に当該生成した子機情報および前記抽出した切替選択情報を更新記憶する。
【００１７】
さらに、本発明に係るワイヤレス交話装置は、上記ワイヤレス交話装置において、前記各端末装置は、前記交話信号制御器と第１通信ケーブルを介してそれぞれ接続され、前記各無線子機は、前記複数の端末装置のうちの任意の一つと第２通信ケーブルを介して接続可能に構成されると共に、当該第２通信ケーブルを介して前記端末装置と接続されたときに、前記第１通信ケーブル、当該任意の端末装置、および前記第２通信ケーブルを介して前記交話信号制御器と前記音声信号を受け渡しする。
【００１８】
また、本発明に係るワイヤレス交話装置は、上記ワイヤレス交話装置において、前記各端末装置は、前記第２通信ケーブルの接続を検出して検出信号を前記交話信号制御器に出力可能に構成され、前記交話信号制御器は、前記検出信号を入力しているときに、当該検出信号を出力している前記端末装置に前記第２通信ケーブルを介して接続されている前記無線子機との前記音声信号の受け渡しを無線による受け渡しに代えて前記第１通信ケーブル、当該端末装置および前記第２通信ケーブルを介しての有線による受け渡しに切り替える。
【００１９】
さらに、本発明に係るワイヤレス交話装置は、上記ワイヤレス交話装置において、前記各端末装置またはこれらの近傍にそれぞれ配設された人体検出部を備え、前記各端末装置の前記各表示部は、対応する前記人体検出部によって人体が検出されているときにのみそれぞれ表示動作を行う。
【００２０】
また、本発明に係るワイヤレス交話装置は、上記ワイヤレス交話装置において、前記交話信号制御器は、音声合成部を備え、前記切替選択情報の内容を示す音声信号を前記音声合成部に生成させると共に、当該切替選択情報に対応する前記無線子機に対応して配設された前記送受信部を介して前記生成させた音声信号を送信する。
【００２１】
【発明の実施の形態】
以下、添付図面を参照して、本発明に係るワイヤレス交話装置を航空機内で使用するＩＣＳ（インター・コミュニケーション・システム）に適用した好適な実施の形態について説明する。なお、従来のワイヤレス交話装置９１と同一の構成要素については、同一の符号を付して重複した説明を省略する。
【００２２】
図１に示すように、ワイヤレス交話装置１は、複数（一例として２個）の無線子機２ａ，２ｂ（以下、特に区別しないときには「無線子機２」ともいう）、複数（一例として無線子機と同数）の端末装置３ａ，３ｂ（以下、特に区別しないときには「端末装置３」ともいう）、および交話信号制御器４を備えている。また、ワイヤレス交話装置１には、例えば、第１無線機５、第２無線機６、航法装置７、および警報装置８が外部装置として接続されている。
【００２３】
各無線子機２は、ヘッドホンとマイクとが一体となったヘッドセットおよび無線機（共に図示せず）をそれぞれ備え、交話信号制御器４に設けられた対応する送受信部（後述する）との間で所定の電波や赤外線等によるワイヤレス通話チャネル（一例として周波数チャネル）を用いて通信可能に構成されている。また、各無線子機２ａ，２ｂには、互いに異なる無線チャネル（周波数、タイムスロット、変調符号など）Ｃ１，Ｃ２（以下、特に区別しないときには「無線チャネルＣ」ともいう）がそれぞれ割り当てられており、各無線子機２は、割り当てられた無線チャネルＣで定期的に送信し、かつ一定の時間内に全ての無線子機２ａ，２ｂが送信を行うように構成されている。この場合、無線チャネルＣは、音声信号の送受信のために各無線子機２と交話信号制御器４との間で行われるワイヤレス通信とは必ずしも関連させる必要はない。すなわち、音声信号の送受信は、無線チャネルＣで行っても良いし、無線チャネルＣとは全く異なったチャネルで行うようにしても良い。また、各無線子機２は、第２通信ケーブルＣＢを備え、この第２通信ケーブルＣＢを介して各端末装置３に設けられた後述する無線子機用Ｉ／Ｆ部に接続可能に構成されている。各無線子機２は、第２通信ケーブルＣＢを介して端末装置３から入力した音声信号Ｓｂｒをヘッドフォンで再生すると共に、マイクで取り込んだ音声を音声信号Ｓｂｔに変換して第２通信ケーブルＣＢを介して端末装置３に出力する機能を備えている。
【００２４】
各端末装置３は、図２に示すように、スイッチパネル３１、電界強度測定部３２、子機情報生成部３３、人体検出部３４、表示部３５、無線子機用インターフェース部（以下、「無線子機用Ｉ／Ｆ部」ともいう）３６、および交話信号制御器用通信インターフェース部（以下、「交話器用通信Ｉ／Ｆ部」ともいう）３７を備え、第１通信ケーブルＣＡを介して交話信号制御器４にそれぞれ接続されている。
【００２５】
この場合、スイッチパネル３１は、複数の設定用スイッチ（図示せず）を備え、この設定用スイッチにより、各無線子機２の内の任意の一つの無線子機２を選択すると共に、選択した無線子機２に対する切替選択情報Ｄｃｔを設定可能に構成されている。また、スイッチパネル３１は、選択された無線子機２の子機情報Ｄｒｃ１を生成して子機情報生成部３３に出力すると共に、切替選択情報Ｄｃｔを交話器用通信Ｉ／Ｆ部３７に出力する。
【００２６】
電界強度測定部３２は、各無線子機２が無線チャネルＣで定期的に送信する電波を受信して、受信した電界強度が最も強い無線チャネルＣを前述した一定の時間内で探索すると共に、最も強い無線チャネルＣが割り当てられている無線子機２を最も近接している無線子機２として検出する。また、電界強度測定部３２は、検出した最も近接している無線子機２の子機情報Ｄｒｃ２を生成して子機情報生成部３３に出力する。無線子機２の検出に際して、無線チャネルＣを音声信号の送受信チャネルと無関係に構成した場合は、無線チャネルＣの送信電力を小さくすることにより、無線子機２に最も近接する端末装置３での電界強度と他の端末装置３での電界強度との差をより大きくすることができ、電界強度測定部３２による無線子機２の検出を一層高精度に行うことができる。なお、電界強度測定部３２は、各端末装置３と一体に設ける構成に代えて、対応する端末装置３の外部に近接して配設する構成を採用することもできる。
【００２７】
子機情報生成部３３は、通常、電界強度測定部３２によって生成された子機情報Ｄｒｃ２を子機情報Ｄｒｃとして交話器用通信Ｉ／Ｆ部３７に出力する。一方、子機情報生成部３３は、設定用スイッチの操作によってスイッチパネル３１が子機情報Ｄｒｃ１を生成した場合にのみ、この子機情報Ｄｒｃ１を子機情報Ｄｒｃとして出力する。
【００２８】
人体検出部３４は、赤外線センサや超音波センサ等を用いて構成されて、端末装置３の近傍に人間が存在しているか否かを常時または所定時間間隔毎に検出する。また、人体検出部３４は、人間の存在を検出しているときは検出信号Ｓｄを生成する。なお、人体検出部３４は、各端末装置３と一体に設ける構成に代えて、対応する端末装置３の外部に近接して配設する構成を採用することもできる。
【００２９】
表示部３５は、名称を付したランプやＬＥＤ、照光式押し釦スイッチ、液晶等のディスプレイといった、選択状態を表示可能な手段によって構成され、入力した表示データＤｄの内容を表示する機能を備えている。また、表示部３５は、人体検出部３４によって生成された検出信号Ｓｄを入力しているときにのみ、すなわち近傍に人間がいるときにのみ表示動作を行うように構成されている。この構成により、表示部３５の表示内容を見る人間が端末装置３の近傍にいないような場合に、自動的に表示部３５の表示動作を停止することができ、無駄な電力消費を削減できる結果、端末装置３内の消費電力を低減することができる。
【００３０】
無線子機用Ｉ／Ｆ部３６は、各無線子機２の任意の一つと第２通信ケーブルＣＢを介して接続可能に構成され、交話器用通信Ｉ／Ｆ部３７を介して入力した音声信号Ｓｂｒを第２通信ケーブルＣＢを介して無線子機２に出力すると共に、無線子機２によって出力された音声信号Ｓｂｔを第２通信ケーブルＣＢを介して入力して交話器用通信Ｉ／Ｆ部３７に出力する機能を備えている。また、無線子機用Ｉ／Ｆ部３６は、接続検出手段として機能して第２通信ケーブルＣＢの接続の有無を検出し、第２通信ケーブルＣＢが接続されているときは接続信号Ｓｃｏを生成して交話器用通信Ｉ／Ｆ部３７に出力する。一例として、第２通信ケーブルＣＢのプラグ（図示せず）と嵌合する無線子機用Ｉ／Ｆ部３６内のレセプタクル（図示せず）に接点を設け、レセプタクルに挿入されたプラグによって接点が押されて閉じることによって接続信号Ｓｃｏを生成させる構成を採用することができる。
【００３１】
交話器用通信Ｉ／Ｆ部３７は、第１通信ケーブルＣＡを介して交話信号制御器４内の対応する端末用通信Ｉ／Ｆ部（後述する）に接続されて、音声信号Ｓｂｔ等の各種の信号や子機情報Ｄｒｃ等の各種データを受け渡しする。
【００３２】
交話信号制御器４は、図１に示すように、送受信部４１ａ，４１ｂ（以下、区別しないときには「送受信部４１」ともいう）、端末用通信インターフェース部４２ａ，４２ｂ（以下、区別しないときには「端末用通信Ｉ／Ｆ部４２」ともいう）、音声認識部４３ａ，４３ｂ（以下、区別しないときには「音声認識部４３」ともいう）、音声合成部４４ａ，４４ｂ（以下、区別しないときには「音声合成部４４」ともいう）、子機情報出力部４５ａ，４５ｂ（以下、区別しないときには「子機情報出力部４５」ともいう）、選択合成部４６および情報統括部４７を備えている。
【００３３】
この場合、送受信部４１は、各無線子機２に対応して無線子機２と同数配設されている。具体的には、無線子機２ａに対応して送受信部４１ａが配設され、無線子機２ｂに対応して送受信部４１ｂが配設されて、各送受信部４１は対応する無線子機２とワイヤレスによる通信が可能となっている。この場合、各送受信部４１ａ，４１ｂは、対応する無線子機２によって送信された電波（または赤外線等）を受信して、音声信号Ｓｃｔ１，Ｓｃｔ２をそれぞれ出力する。また、各送受信部４１ａ，４１ｂは、音声合成部４４ａ，４４ｂによって生成された合成音声信号Ｓｙｒ１，Ｓｙｒ２、および選択合成部２６によって選択合成された音声信号Ｓｃｒ１，Ｓｃｒ２をそれぞれ入力して、対応する無線子機２に無線で送信する。
【００３４】
端末用通信Ｉ／Ｆ部４２は、各端末装置３に対応して端末装置３と同数（一例として２つ）配設されている。具体的には、端末装置３ａに対応して端末用通信Ｉ／Ｆ部４２ａが配設され、端末装置３ｂに対応して端末用通信Ｉ／Ｆ部４２ｂが配設されている。また、各端末用通信Ｉ／Ｆ部４２は、対応する端末装置３の交話器用通信Ｉ／Ｆ部３７と第１通信ケーブルＣＡによってそれぞれ接続されて、音声信号Ｓｂｔ等の各種の信号や子機情報Ｄｒｃ等の各種データを受け渡しする。また、端末用通信Ｉ／Ｆ部４２は、入力した各種信号やデータを交話信号制御器４内の対応する構成要素に出力する。
【００３５】
音声認識部４３は、一例として各送受信部４１毎に設けられている。具体的には、送受信部４１ａに対応して音声認識部４３ａが設けられ、送受信部４１ｂに対応して音声認識部４３ｂが設けられている。各音声認識部４３ａ，４３ｂは、対応する送受信部４１ａ，４１ｂによって出力された音声信号Ｓｃｔ１，Ｓｃｔ２を入力して、音声信号Ｓｃｔ１，Ｓｃｔ２に含まれている切替選択情報Ｄｃｔに関する音声を抽出して切替選択情報Ｄｃｔをそれぞれ生成する。なお、各送受信部４１毎に音声認識部４３を設ける構成に代えて、各送受信部４１に共通の音声認識部４３を一つだけ配設すると共に、各送受信部４１ａ，４１ｂによって出力された音声信号Ｓｃｔ１，Ｓｃｔ２を一旦メモリ等に記憶し、記憶した音声信号Ｓｃｔ１，Ｓｃｔ２に含まれている切替選択情報Ｄｃｔを共通の音声認識部４３で抽出する構成を採用することもできる。
【００３６】
音声合成部４４は、各送受信部４１毎に設けられている。具体的には、送受信部４１ａに対応して音声合成部４４ａが設けられ、送受信部４１ｂに対応して音声合成部４４ｂが設けられている。各音声合成部４４ａ，４４ｂは、情報統括部４７によって出力された切替選択情報Ｄｃｔ等の情報を入力して、これらの情報を表す合成音声信号Ｓｙｒ１，Ｓｙｒ２を生成する。なお、各送受信部４１毎に音声合成部４４を設ける構成に代えて、各送受信部４１に共通の音声合成部４４を一つだけ配設し、共通の音声合成部４４が合成音声信号Ｓｙｒ１，Ｓｙｒ２を生成して送受信部４１ａ，４１ｂに出力する構成を採用することもできる。
【００３７】
子機情報出力部４５は、各送受信部４１毎に設けられている。具体的には、送受信部４１ａに対応して子機情報出力部４５ａが設けられ、送受信部４１ｂに対応して子機情報出力部４５ｂが設けられている。各子機情報出力部４５ａ，４５ｂは、音声認識部４３ａ，４３ｂによって抽出された切替選択情報Ｄｃｔを入力すると共に対応する端末装置３によって出力された切替選択情報Ｄｃｔを端末用通信Ｉ／Ｆ部４２を介して入力して、これらの切替選択情報Ｄｃｔを対応する子機情報Ｄｒｃと共に情報統括部４７に出力する。この場合、子機情報出力部４５は、音声認識部４３から切替選択情報Ｄｃｔが入力された際に、対応する送受信部４１と通信を行う無線子機２の子機情報Ｄｒｃを生成して、この子機情報Ｄｒｃを切替選択情報Ｄｃｔと共に情報統括部４７に出力する。子機情報Ｄｒｃの生成は、送受信部４１が各無線子機２に対応して配設されていることから可能となる。一方、子機情報出力部４５は、端末用通信Ｉ／Ｆ部４２から切替選択情報Ｄｃｔが入力された際には、端末用通信Ｉ／Ｆ部４２から同時に出力される子機情報Ｄｒｃをこの切替選択情報Ｄｃｔと共に情報統括部４７に出力する。
【００３８】
選択合成部４６は、図３に示すように、４つの受話選択部４６ａ〜４６ｄ、２つの送話選択部４６ｅ，４６ｆ、４つの受話合成部４６ｇ〜４６ｊ、および２つの送話合成部４６ｋ，４６ｍを備えている。選択合成部４６は、各無線機５，６によって出力された音声信号Ｓｒ１，Ｓｒ２、航法装置７によって出力された音声信号Ｓｒ３、警報装置８によって出力された音声信号Ｓｒ４、各送受信部４１ａ，４１ｂによって出力された音声信号Ｓｃｔ１，Ｓｃｔ２、および各端末用通信Ｉ／Ｆ部４２によって出力された音声信号Ｓｂｔ（端末用通信Ｉ／Ｆ部４２ａからの音声信号ＳｂｔはＳｂｔ１、端末用通信Ｉ／Ｆ部４２ｂからの音声信号ＳｂｔはＳｂｔ２）を入力して、入力したこれらの音声信号を情報統括部４７によって生成された選択データＤｒ１，Ｄｒ２，Ｄｂｒ１，Ｄｂｒ２，Ｄｔ１，Ｄｔ２（以下、特に区別しないときには「選択データＤ」ともいう）に基づいて選択・ミキシングして、各無線子機２に対する無線受話用の音声信号Ｓｃｒ１，Ｓｃｒ２、各無線子機２に対する有線受話用の音声信号Ｓｂｒ１，Ｓｂｒ２、第１無線機５に対する送話用の音声信号Ｓｔ１、および第２無線機６に対する送話用の音声信号Ｓｔ２を生成する。
【００３９】
具体的には、各受話選択部４６ａ〜４６ｄは、音声信号Ｓｒ１〜Ｓｒ４，Ｓｃｔ１，Ｓｃｔ２および音声信号Ｓｂｔ１，Ｓｂｔ２をそれぞれ入力して、対応する選択データＤｒ１，Ｄｒ２，Ｄｂｒ１，Ｄｂｒ２に基づいて音声信号を選択して出力する。また、各送話選択部４６ｅ，４６ｆは、音声信号Ｓｃｔ１，Ｓｃｔ２および音声信号Ｓｂｔ１，Ｓｂｔ２をそれぞれ入力して、対応する選択データＤｔ１，Ｄｔ２に基づいて音声信号を選択して出力する。一方、受話合成部４６ｇ〜４６ｊは、対応する受話選択部４６ａ〜４６ｄによって選択された音声信号をそれぞれ入力してミキシング（加算処理）を行い、音声信号Ｓｃｒ１，Ｓｃｒ２および音声信号Ｓｂｒ１，Ｓｂｒ２としてそれぞれ出力する。同様にして、送話合成部４６ｋ，４６ｍは、対応する送話選択部４６ｅ，４６ｆによって選択された音声信号をそれぞれ入力してミキシング（加算処理）を行い、音声信号Ｓｔ１，Ｓｔ２としてそれぞれ出力する。
【００４０】
情報統括部４７は、一例として、ＣＰＵおよびメモリ（いずれも図示せず）を用いて構成され、図１に示すように、各子機情報出力部４５によって出力された子機情報Ｄｒｃおよび切替選択情報Ｄｃｔを入力して、これらを対応させてメモリに更新記憶する。したがって、情報統括部４７は、メモリ内に記憶されたデータを子機情報Ｄｒｃで検索することにより、各無線子機２の最新の切替選択情報Ｄｃｔを認識可能に構成されている。また、情報統括部４７は、記憶した各子機情報Ｄｒｃ毎の切替選択情報Ｄｃｔ、および各端末用通信Ｉ／Ｆ部４２からの接続信号Ｓｃｏの入力の有無に基づいて、選択合成部４６に対する選択データＤｔ１，Ｄｔ２，Ｄｒ１，Ｄｒ２，Ｄｂｒ１，Ｄｂｒ２を生成する。これらの選択データＤは、切替選択情報Ｄｃｔに関連付けられた子機情報Ｄｒｃによって特定される無線子機２の交話対象と受話対象を特定する。また、情報統括部４７は、各端末装置３によって出力された子機情報Ｄｒｃを対応する子機情報出力部４５を介して入力したときは、入力した子機情報Ｄｒｃに対応する切替選択情報Ｄｃｔをメモリから読み出して、対応する端末用通信Ｉ／Ｆ部４２に表示データＤｄとして出力する。
【００４１】
次に、このワイヤレス交話装置１の動作について説明する。
【００４２】
このワイヤレス交話装置１では、無線子機２を装着した搭乗者は、交話信号制御器４との間での通信をワイヤレス（無線）通信で行うか、有線通信で行うかを自由に選択することができる。また、搭乗者は、交話対象や受話対象の選択を、任意の端末装置３のスイッチパネル３１を操作することによって行うことができると共に、音声による指示によっても行うことができる。
【００４３】
まず、交話信号制御器４との間の通信を無線で行い、かつ端末装置３におけるスイッチパネル３１の操作によって交話対象や受話対象の選択を行う場合についてのワイヤレス交話装置１の動作について説明する。
【００４４】
最初に、搭乗者は、交話や受話の対象（相手）を端末装置３を操作することによって設定する。この場合、各端末装置３は、そのスイッチパネル３１において切替選択情報Ｄｃｔを設定する機能と共に、子機情報Ｄｒｃを生成する機能をそれぞれ備えているため、搭乗者は、特定の端末装置３側に移動することなく、任意の（例えば、身近にある）端末装置３を操作して交話や受話の対象（相手）を設定することができる。具体的には、図１に示すように、無線子機２ｂを装着した搭乗者が端末装置３ａに近づくと、その端末装置３ａでは、電界強度測定部３２が、各無線子機２ａ，２ｂの電界強度を測定して、無線子機２ｂの電界強度を最も強く検出する。このため、電界強度測定部３２は、図２に示すように、この無線子機２ｂの子機情報Ｄｒｃ２を自動的に生成して子機情報生成部３３に出力する。また、搭乗者がスイッチパネル３１を操作して交話や受話の対象（相手）を設定すると、スイッチパネル３１は交話や受話の対象を特定するための切替選択情報Ｄｃｔを生成して交話器用通信Ｉ／Ｆ部３７に出力する。一方、子機情報生成部３３は、入力した子機情報Ｄｒｃ２を子機情報Ｄｒｃとして交話器用通信Ｉ／Ｆ部３７に出力する。また、無線子機用Ｉ／Ｆ部３６には第２通信ケーブルＣＢが接続されていないため、無線子機用Ｉ／Ｆ部３６は接続信号Ｓｃｏを生成しない。このため、交話器用通信Ｉ／Ｆ部３７は、入力した子機情報Ｄｒｃおよび切替選択情報Ｄｃｔを第１通信ケーブルＣＡを介して交話信号制御器４内の対応する端末用通信Ｉ／Ｆ部４２ａに出力する。
【００４５】
端末用通信Ｉ／Ｆ部４２（この例では４２ａ）は、図１に示すように、入力した子機情報Ｄｒｃおよび切替選択情報Ｄｃｔを子機情報出力部４５ａに出力する。この場合、子機情報出力部４５ａは、音声認識部４３ａから切替選択情報Ｄｃｔを入力していないため、端末用通信Ｉ／Ｆ部４２ａから入力した子機情報Ｄｒｃおよび切替選択情報Ｄｃｔを情報統括部４７に出力する。情報統括部４７は、入力した子機情報Ｄｒｃおよび切替選択情報Ｄｃｔをメモリに記憶する。この場合、情報統括部４７は、切替選択情報Ｄｃｔの記憶に際して、入力した子機情報Ｄｒｃに対応する切替選択情報Ｄｃｔを既に記憶しているときは、古い切替選択情報Ｄｃｔを新しい切替選択情報Ｄｃｔに更新記憶する。また、情報統括部４７は、記憶している各子機情報Ｄｒｃ、それに対応する切替選択情報Ｄｃｔ、および接続信号Ｓｃｏの入力の有無に基づいて、各無線子機２に対応する選択データＤを生成して選択合成部４６に出力する。この場合、入力した子機情報Ｄｒｃが無線子機２ｂについての情報であり、かつ接続信号Ｓｃｏが入力されていない。したがって、情報統括部４７は、以下のようにして、無線子機２ｂに関する選択データＤｒ２，Ｄｂｒ２，Ｄｔ２を生成し直して選択合成部４６に出力する。具体的には、接続信号Ｓｃｏが入力されていないため、情報統括部４７は、音声信号Ｓｒ１〜Ｓｒ４および音声信号Ｓｃｔ２に含まれる音声信号を受話選択部４６ｂに対して選択／非選択させる内容の選択データＤｒ２を生成し、また、音声信号Ｓｃｔ２を送話選択部４６ｅ，４６ｆに対して選択／非選択させる内容の選択データＤｔ１，Ｄｔ２を生成する。
【００４６】
一方、選択合成部４６では、図３に示すように、各受話選択部４６ａ〜４６ｄおよび各送話選択部４６ｅ，４６ｆが、対応する選択データＤの内容に応じて出力する音声信号を瞬時に選択すると共に、各受話合成部４６ｇ〜４６ｊおよび送話合成部４６ｋ，４６ｍが、選択された音声信号をミキシングして各受話用の音声信号Ｓｃｒ１，Ｓｃｒ２および送話用の音声信号Ｓｔ１，Ｓｔ２を出力する。このようにして選択合成部４６から出力された各受話用の音声信号Ｓｃｒ１，Ｓｃｒ２は、送受信部４１ａ，４１ｂにそれぞれ出力されて対応する各無線子機２ａ，２ｂに無線で送信される。また、選択合成部４６から出力された送話用の音声信号Ｓｔ１，Ｓｔ２は、第１無線機５および第２無線機６にそれぞれ出力される。これにより、無線子機２ｂを装着した搭乗者は、スイッチパネル３１において設定した交話対象と交話することができ、かつ受話対象からの信号をモニタすることができる。
【００４７】
また、情報統括部４７は、メモリ内の子機情報Ｄｒｃおよび切替選択情報Ｄｃｔを更新記憶した際に、無線子機２ｂに対応する音声合成部４４ｂに対して、最新の切替選択情報Ｄｃｔをメモリから読み出して出力する。また、情報統括部４７は、端末用通信Ｉ／Ｆ部４２ａを介して端末装置３ａに切替選択情報Ｄｃｔを表示データＤｄとして出力する。次いで、端末装置３ａでは、交話器用通信Ｉ／Ｆ部３７が、第１通信ケーブルＣＡを介して表示データＤｄを入力して、その表示データＤｄの内容を表示部３５に出力する。この場合、端末装置３ａにおける人体検出部３４は、端末装置３ａ近傍に搭乗者が存在しているため、検出信号Ｓｄを生成して表示部３５に出力している。このため、表示部３５は、入力した表示データＤｄとしての切替選択情報Ｄｃｔをディスプレイに表示する。したがって、無線子機２ｂを装着した搭乗者は、自らの交話対象や受話対象の最新の設定情報を目視によって確認することができる。一方、音声合成部４４ｂは、図１に示すように、情報統括部４７から入力した切替選択情報Ｄｃｔに基づいて、この切替選択情報Ｄｃｔを表す合成音声信号Ｓｙｒ２を生成して送受信部４１ｂに出力する。次いで、送受信部４１ｂは、入力した合成音声信号Ｓｙｒ２を無線で無線子機２ｂに送信する。これにより、無線子機２ｂを装着した搭乗者は、自らの交話対象や受話対象の最新の設定情報を耳でも確認することができる。
【００４８】
以上、無線子機２ｂを装着した搭乗者が端末装置３ａを操作した例を挙げて説明したが、無線子機２ｂを装着した搭乗者が端末装置３ｂを操作したとき、無線子機２ａを装着した搭乗者が端末装置３ｂを操作したとき、および無線子機２ａを装着した搭乗者が端末装置３ａを操作したときであっても、交話対象や受話対象の選択を同様に行うことができると共に、操作した端末装置３の表示部３５において交話対象や受話対象の最新の設定情報を目視によって確認することができる。
【００４９】
なお、搭乗者は、スイッチパネル３１を操作することによって子機情報Ｄｒｃ１を手動で生成させることができる。この場合、子機情報生成部３３は、入力した子機情報Ｄｒｃ１を子機情報Ｄｒｃとして交話器用通信Ｉ／Ｆ部３７に出力し、交話器用通信Ｉ／Ｆ部３７はこの子機情報Ｄｒｃを交話信号制御器４に出力する。したがって、端末装置３の周辺の電波状況が悪い場合であっても、前述した電界強度測定部３２による子機情報Ｄｒｃ２の自動生成が正常に行われる場合と同様にして、搭乗者は、いずれの端末装置３においても、交話対象や受話対象の選択を行うことができると共に、操作した端末装置３の表示部３５において交話対象や受話対象の最新の設定情報を目視によって確認することができる。
【００５０】
次に、交話信号制御器４との間の通信を無線で行い、かつ音声による指示によって交話対象や受話対象の選択を行う場合についてのワイヤレス交話装置１の動作について説明する。なお、端末装置３におけるスイッチパネル３１の操作によって交話対象や受話対象を選択する上記した動作と同じ動作についてはその説明を省略する。
【００５１】
一例として、無線子機２ｂを装着した搭乗者が、切替選択情報Ｄｃｔに関する言葉を発声すると、無線子機２ｂによってその音声信号が電波で送信される。この際に、交話信号制御器４では、図１に示すように、この電波を送受信部４１（この例では４１ｂ）が受信して、音声信号Ｓｃｔ２として出力する。次いで、音声認識部４３ｂが、この音声信号Ｓｃｔ２に含まれている切替選択情報Ｄｃｔに関する言葉（音声）を抽出して切替選択情報Ｄｃｔを生成し、生成した切替選択情報Ｄｃｔを子機情報出力部４５ｂに出力する。子機情報出力部４５ｂは、音声認識部４３ｂからの切替選択情報Ｄｃｔを入力した際に、送受信部４１ｂと通信を行う無線子機２ｂの子機情報Ｄｒｃを生成して、この子機情報Ｄｒｃを切替選択情報Ｄｃｔと共に情報統括部４７に出力する。子機情報Ｄｒｃの生成は、送受信部４１と無線子機２が１対１に対応しているため可能である。次いで、情報統括部４７は、上記した端末装置３のスイッチパネル３１を操作して交話対象や受話対象の選択を行うときと同じようにして、選択データＤを生成して選択合成部４６に出力すると共に、表示データＤｄを生成して端末用通信Ｉ／Ｆ部４２ｂに出力する。これにより、搭乗者は、端末装置３のスイッチパネル３１を操作することなく、交話対象や受話対象を選択することができる。また、送受信部４１ｂに対応する端末装置３ｂの近傍に搭乗者が存在するときには、搭乗者は、端末装置３ｂの表示部３５において交話対象や受話対象についての最新の設定情報を目視によって確認することができる。したがって、搭乗者が、ハンズフリーでワイヤレス交話装置１を操作することができるため、利便性を十分に向上させることができる。
【００５２】
次いで、交話信号制御器４との間の通信を有線で行う場合におけるワイヤレス交話装置１の動作について説明する。なお、無線で通信を行い、かつ端末装置３のスイッチパネル３１を操作して交話対象や受話対象を選択する上記した動作と同じ動作についてはその説明を省略する。
【００５３】
一例として、無線子機２ｂを装着した搭乗者が、第２通信ケーブルＣＢを端末装置３ａに接続すると、図２に示すように、端末装置３ａでは、無線子機用Ｉ／Ｆ部３６が第２通信ケーブルＣＢの接続を検出して接続信号Ｓｃｏを生成する。また、搭乗者がスイッチパネル３１を操作することにより、上記した動作と同様にして、スイッチパネル３１が切替選択情報Ｄｃｔを生成する。また、子機情報生成部３３は、上記の動作と同様にして、スイッチパネル３１からの子機情報Ｄｒｃ１または電界強度測定部３２からの子機情報Ｄｒｃ２のいずれかに基づいて子機情報Ｄｒｃを生成する。次いで、交話器用通信Ｉ／Ｆ部３７が、このようにして生成された接続信号Ｓｃｏ、切替選択情報Ｄｃｔおよび子機情報Ｄｒｃを交話信号制御器４内の端末用通信Ｉ／Ｆ部４２ａに第１通信ケーブルＣＡを介して出力する。一方、端末用通信Ｉ／Ｆ部４２ａは、図１に示すように、入力した接続信号Ｓｃｏを情報統括部４７に出力すると共に、切替選択情報Ｄｃｔおよび子機情報Ｄｒｃを子機情報出力部４５ａに出力する。続いて、子機情報出力部４５ａは、上記の動作と同様にして、この切替選択情報Ｄｃｔおよび子機情報Ｄｒｃを情報統括部４７に出力する。
【００５４】
一方、情報統括部４７は、入力した子機情報Ｄｒｃおよび切替選択情報Ｄｃｔをメモリに記憶する。また、情報統括部４７は、記憶している各子機情報Ｄｒｃ、それに対応する切替選択情報Ｄｃｔおよび接続信号Ｓｃｏの入力の有無に基づいて、無線子機２ｂに対応する選択データＤを生成し直して選択合成部４６に出力する。この場合、入力した子機情報Ｄｒｃが無線子機２ｂについての情報であり、かつ接続信号Ｓｃｏが端末用通信Ｉ／Ｆ部４２ａによって出力されているため、情報統括部４７は、無線子機２ｂに関する選択データＤｒ２、有線通信に関連する選択データＤｂｒ１，Ｄｂｒ２、および無線機５，６に関する選択データＤｔ１，Ｄｔ２を生成し直して選択合成部４６に出力する。
【００５５】
具体的には、情報統括部４７は、音声信号Ｓｒ１〜Ｓｒ４および音声信号Ｓｂｔ１，Ｓｂｔ２に含まれる音声信号を受話選択部４６ｃに対して選択／非選択させる内容の選択データＤｂｒ１を生成し直し、音声信号Ｓｂｔ１を送話選択部４６ｅ，４６ｆに対して選択／非選択させる内容の選択データＤｔ１，Ｄｔ２を生成し直す。一方、選択合成部４６では、図３に示すように、受話選択部４６ｂ〜４６ｄと送話選択部４６ｅ，４６ｆが、対応する選択データＤの内容に応じて出力する音声信号を瞬時に選択し直すと共に、受話合成部４６ｉおよび送話合成部４６ｋ，４６ｍが、選択された音声信号をミキシングして各受話用の音声信号Ｓｂｒ１および送話用の音声信号Ｓｔ１，Ｓｔ２を出力する。このようにして選択合成部４６から出力された各受話用の音声信号Ｓｂｒ１は、端末用通信Ｉ／Ｆ部４２ａに出力されて、第１通信ケーブルＣＡを介して端末装置３ａに有線で出力される。また、選択合成部４６から出力された送話用の音声信号Ｓｔ１，Ｓｔ２は、第１無線機５および第２無線機６にそれぞれ出力される。これにより、無線子機２ｂを装着した搭乗者は、有線通信によって交話対象と交話することができると共に、受話対象からの信号をモニタすることができる状態になる。
【００５６】
この状態において搭乗者が発声すると、無線子機２ｂは、搭乗者の発声した音声を音声信号Ｓｂｔに変換して、図２に示すように、第２通信ケーブルＣＢを介して端末装置３ａに出力する。一方、端末装置３ａでは、無線子機用Ｉ／Ｆ部３６が、入力した音声信号Ｓｂｔおよび生成した接続信号Ｓｃｏを交話器用通信Ｉ／Ｆ部３７に出力する。次いで、交話器用通信Ｉ／Ｆ部３７は、交話信号制御器４内の端末用通信Ｉ／Ｆ部４２ａに第１通信ケーブルＣＡを介して音声信号Ｓｂｔおよび接続信号Ｓｃｏを出力する。端末用通信Ｉ／Ｆ部４２ａは、図１に示すように、入力した音声信号Ｓｂｔを音声信号Ｓｂｔ１として選択合成部４６に出力する。これにより、音声信号Ｓｂｔ１は、各受話選択部４６ａ〜４６ｄおよび送話選択部４６ｅ，４６ｆによって選択可能な状態となる。一方、選択合成部４６によって選択合成されることによって生成された音声信号Ｓｂｒ１は、端末用通信Ｉ／Ｆ部４２ａに入力される。次いで、端末用通信Ｉ／Ｆ部４２ａは、この音声信号Ｓｂｒを第１通信ケーブルＣＡを介して端末装置３ａに出力する。一方、端末装置３ａでは、交話器用通信Ｉ／Ｆ部３７が音声信号Ｓｂｒを入力して、無線子機用Ｉ／Ｆ部３６および第２通信ケーブルＣＢを介して無線子機２ｂに出力する。これにより、搭乗者は、無線子機２ｂによって音声信号Ｓｂｒを受話することができる。
【００５７】
この構成によれば、無線子機２ｂを装着した搭乗者は、第２通信ケーブルＣＢを介した有線での通信が可能となるため、無線子機２のバッテリー切れや電波障害等によってワイヤレス通信が不能となった場合であっても、交話対象との交話や受話対象のモニタを行うことができる。また、無線子機用Ｉ／Ｆ部３６が第２通信ケーブルＣＢの接続を検出して自動的に接続信号Ｓｃｏを出力することにより、無線通信から有線通信への切替が自動的に行われる。このため、搭乗者がスイッチパネル３１を操作する必要がなくなる結果、操作性を向上させることができる。
【００５８】
なお、本発明は、上記した実施の形態に限定されず、その構成を適宜変更することができる。例えば、本発明の実施の形態に係るワイヤレス交話装置１において、第２通信ケーブルＣＢを利用した有線通信を行う場合、この第２通信ケーブルＣＢを介して端末装置３から無線子機２へ電力を供給する構成を採用することもできる。この構成により、無線子機２にバッテリー切れが発生した状況下においても、端末装置３から供給される電力によって無線子機２を作動させてワイヤレスおよび有線通信のいずれを用いても交話信号制御器４との間で通信することができる。また、端末装置３における人体検出部３４によって生成される検出信号Ｓｄで電界強度測定部３２の作動を制御することによって端末装置３での消費電力を一層低減させる構成を採用することもできる。さらに、第１通信ケーブルＣＡを介して交話信号制御器４側に検出信号Ｓｄを出力して交話信号制御器４側の動作を制御することによってワイヤレス交話装置１全体としての消費電力を低減させることもできる。また、交話信号制御器４内の音声認識部４３において、切替選択情報Ｄｃｔに関する音声の抽出だけではなく、各種コマンドに関する音声を抽出する構成を採用することもできる。これにより、情報統括部４７による現在の切替選択情報Ｄｃｔの内容の出力（無線による音声信号での出力、および端末装置３の表示部３５に対する表示の両方、またはいずれか一方）を音声によって直接指示することができるため、より一層、操作性を向上させることができる。ワイヤレス交話装置１に接続される外部装置の種類や数は限定されることはない。また、無線子機や端末装置の数も限定されることなく、３つ、４つ等、拡張して構成することができる。本発明の実施の形態において、音声信号の扱いはアナログ又はデジタルの区別をしていない。これは、個々の信号に対し、アナログ処理での実現か、Ａ／Ｄ変換やＤ／Ａ変換等を伴うデジタル処理での実現か、あるいはアナログ／デジタルの併用（切替）方式かを選択し、自由に設計して実施可能であることを意味する。
【００５９】
【発明の効果】
以上のように、請求項１記載のワイヤレス交話装置によれば、各端末装置が無線子機の任意の一つの無線子機を特定する子機情報および特定した無線子機に対する切替選択情報を生成して出力し、交話信号制御器が、各無線子機とワイヤレスで音声信号を送受信可能に構成されると共に各端末装置と通信可能に構成され、各端末装置から子機情報および切替選択情報を入力したときに切替選択情報を子機情報に対応させて更新記憶すると共に、更新記憶した切替選択情報に基づいて各無線子機の各々と複数の外部装置および他の無線子機のうちの少なくとも１つとの間で送受信される音声信号を受け渡しすることにより、搭乗者が特定の端末装置側に移動することなく任意の（例えば、身近にある）端末装置を操作して交話や受話の相手を設定することができる。また、交話信号制御器が端末装置によって出力された子機情報を入力したときに子機情報に対応する切替選択情報を端末装置に出力し、各端末装置が交話信号制御器によって出力された切替選択情報を表示部に表示させることにより、搭乗者が任意の端末装置において自らの最新の交話対象や受話対象を目視によって確認することができる。
【００６０】
また、請求項２記載のワイヤレス交話装置によれば、各端末装置の電界強度測定部が、複数の無線子機に割り当てられた無線チャネルのうちの電界強度が最大となる無線チャネルを検出すると共に無線チャネルが割り当てられた無線子機の子機情報を生成することにより、搭乗者による子機情報の手動入力の手間を省くことができるため、その操作性を向上させることができる。
【００６１】
また、請求項３記載のワイヤレス交話装置によれば、音声認識部が切替選択情報を抽出したときに、切替選択情報が抽出された音声信号を送信した無線子機の子機情報を生成すると共に生成した子機情報および抽出した切替選択情報を更新記憶することにより、搭乗者が端末装置に対する操作を一切行うことなく交話対象や受話対象を設定することができる。したがって、ハンズフリーでワイヤレス交話装置を操作することができるため、その操作性を一層向上させることができる。
【００６２】
また、請求項４記載のワイヤレス交話装置によれば、各端末装置が交話信号制御器と第１通信ケーブルを介してそれぞれ接続され、各無線子機が、複数の端末装置のうちの任意の一つと第２通信ケーブルを介して接続可能に構成されると共に、第２通信ケーブルを介して端末装置と接続されたときに、第１通信ケーブル、任意の端末装置、および第２通信ケーブルを介して交話信号制御器と音声信号を受け渡しすることにより、電波障害等によってワイヤレス通信が不能となったときであっても、搭乗者が、自らの交話対象と交話し、かつ受話対象のモニタを行うことができる。
【００６３】
また、請求項５記載のワイヤレス交話装置によれば、各端末装置が第２通信ケーブルの接続を検出して検出信号を交話信号制御器に出力可能に構成され、交話信号制御器が、検出信号を入力しているときに、検出信号を出力している端末装置に第２通信ケーブルを介して接続されている無線子機との音声信号の受け渡しを無線による受け渡しに代えて第１通信ケーブル、端末装置および第２通信ケーブルを介しての有線による受け渡しに切り替えることにより、搭乗者の手動による無線から有線への切替作業を不要にできるため、操作性を一層向上させることができる。
【００６４】
また、請求項６記載のワイヤレス交話装置によれば、各端末装置の各表示部が、対応する人体検出部によって人体が検出されているときにのみそれぞれ表示動作を行うことにより、表示部の表示内容を見る搭乗者が端末装置の近傍にいないような場合に、表示部の表示動作を自動的に停止することができるため、消費電力を削減することができる結果、端末装置全体としての消費電力を十分に低減することができる。
【００６５】
また、請求項７記載のワイヤレス交話装置によれば、交話信号制御器が、切替選択情報の内容を示す音声信号を音声合成部に生成させると共に、その生成させた音声信号をこの切替選択情報に対応する無線子機に送信することにより、無線子機を装着した搭乗者が交話対象や受話対象の最新の設定情報を端末装置（スイッチパネル）に向かうことなく耳でも確認することができる。
【図面の簡単な説明】
【図１】本発明のワイヤレス交話装置１のブロック図である。
【図２】ワイヤレス交話装置１における端末装置３のブロック図である。
【図３】ワイヤレス交話装置１における交話信号制御器４内の選択合成部４６のブロック図である。
【図４】従来のワイヤレス交話装置９１のブロック図である。
【図５】ワイヤレス交話装置９１における交話信号制御器９４内の選択合成部９７のブロック図である。
【符号の説明】
１　ワイヤレス交話装置
２ａ，２ｂ　無線子機
３ａ，３ｂ　端末装置
４　交話信号制御器
５　第１無線機
６　第２無線機
７　航法装置
８　警報装置
３１　スイッチパネル
３２　電界強度測定部
３３　子機情報生成部
３４　人体検出部
３５　表示部
３６　無線子機用Ｉ／Ｆ部
４１ａ，４１ｂ　送受信部
４２ａ，４２ｂ　端末用通信Ｉ／Ｆ部
４３ａ，４３ｂ　音声認識部
４４ａ，４４ｂ　音声合成部
４５ａ，４５ｂ　子機情報出力部
４６　選択合成部
４７　情報統括部
Ｄｃｔ　切替選択情報
Ｄｒｃ　子機情報
【図１】
2004134863.tif 000003
【図２】
2004134863.tif 000004
【図３】
2004134863.tif 000005
【図４】
2004134863.tif 000006
【図５】
2004134863.tif 000007